(57)【特許請求の範囲】
【請求項１】
照明器具を設けた枠部材に、少なくとも天井部材及び壁部材の一方に係止させる係止部を備え、
前記枠部材は天面と、該天面に対して折れ曲がる側面とを有しており、
前記係止部は前記側面に対して垂直に屈曲して該側面から離れる方向に延びる延出面を有しており、
前記延出面には、前記側面と平行に延びる当接面が設けられ、
前記当接面は前記天井部材または壁部材に当接していることを特徴とする照明部材。
【請求項２】
前記天面には照明器具が設けられ、前記側面は前記照明器具の側部に延びていて、前記側面には前記照明器具から照射される光を反射させる反射部を有している請求項１に記載された照明部材。
【発明の詳細な説明】
【技術分野】
【０００１】
本発明は、例えば照明器具を取り付けたアルミ形材等の枠部材を室内の天井部材や壁部材に取り付けて係止できるようにした照明部材に関する。
【背景技術】
【０００２】
従来、部屋内の間接照明において代表的な照明構造として例えばコーニス照明やコーブ照明等が知られている。例えば図５に示すコーニス照明構造は、天井下地材１０１から野縁１０２の側部に形成した凹部空間１０３を木工造作で現場加工して釘やねじ等で固定し、この凹部空間１０３内の側面に照明器具１０４を設置して対向する壁面での反射光で室内を照明している。照明器具１０４の下側には木工で遮蔽部材１０５を取り付け、部屋内から照明器具１０４を目視しにくいようにして間接照明を実現している。
そして、現場施工で、凹部空間１０３や遮蔽部材１０５等の少なくとも室内から目視できる面に、天井下地材１０１や壁下地材１０６と共に壁紙１０８を接着剤で貼りつけて見栄えを良くしている。
【０００３】
また、特許文献１に記載された間接照明用の構造では、天井に設けた開口から天井裏に照明灯を保持する壁面部材を取り付けて壁面にねじ固定し、壁面部材の上面壁に下向きに照明灯を取り付けると共に壁面部材の下端を天井の表面に係止させると共に長さ調整可能に保持している。
【先行技術文献】
【特許文献】
【０００４】
【特許文献１】実開平７−１８３１３号公報
【発明の概要】
【発明が解決しようとする課題】
【０００５】
しかしながら、上述した木材による間接照明は例えば凹部空間１０３の側壁を構成する木板の板厚を石膏ボード製の壁下地材１０６の厚みに合わせて当接させて室内側の壁面を面一に調整しなければならず、現場での施工に手間がかかる上にコスト高になる欠点があった。
これに対し、特許文献１に記載された間接照明用の壁面部材は、アルミ製型材で工場などで製作できるため低廉であり、施工も木工造作と比較して簡単であった。しかしながら、壁面部材を開口を通して天井裏内に挿入して設置しているため、現場での施工時には作業者が天井裏内で作業をしなければならず、工事が面倒で煩雑であった。
【０００６】
本発明は、このような課題に鑑みてなされたものであって、天井部材または壁部材等に対する現場での取り付け施工が容易で安定した係止構造を得られる照明部材を提供することを目的とする。
【課題を解決するための手段】
【０００７】
本発明による照明部材は、照明器具を設けた枠部材に、少なくとも天井部材及び壁部材の一方に係止させる係止部を備え、前記枠部材は天面と、該天面に対して折れ曲がる側面とを有しており、前記係止部は前記側面に対して垂直に屈曲して該側面から離れる方向に延びる延出面を有しており、前記延出面には、前記側面と平行に延びる当接面が設けられ、前記当接面は前記天井部材または壁部材に当接していることを特徴とする。
本発明による照明部材は、照明器具を有する枠部材に形成した係止部を少なくとも天井部材または壁部材に係止させることで固定できるため、ねじ固定等が必要なく簡単且つ容易に天井部材及び／または壁部材に取り付けることができて低廉である。
また、係止部としての延出面を少なくとも天井部材または壁部材に係止させることで固定できる。
さらに、照明部材の枠部材は折り曲げた係止部で天井部材及び／または壁部材と係止させると共にその当接面を天井部材または壁部材に当接させることで、天井部材または壁部材に対する照明部材の取り付けが２面になるためより確実で強固である上に、当接面が天井部材や壁部材の表面に露出せず、枠部材の側面を天井部材または壁部材の表面と面一に設置できるので美観が良く壁紙の貼り付け等の障害にならない。
【０００９】
また、天面には照明器具が設けられ、側面は照明器具の側部に延びていて、側面には照明器具から照射される光を反射させる反射部を有していることが好ましい。
また、枠部材は照明器具と反射部とを備えており、照明器具から照射される光を反射部で反射させて室内等を間接的に照明することができる。
【発明の効果】
【００１１】
本発明による照明部材は、照明器具を有する枠部材に形成した係止部を少なくとも天井部材または壁部材の一方に係止させることで固定でき、ねじ固定等が必要なく現場での取り付け施工が簡単且つ容易で低廉である。
【図面の簡単な説明】
【００１２】
【図１】（ａ）は本発明の第一実施形態による照明部材を天井角部に取り付けた構成を示す断面図、（ｂ）は同図（ａ）のＡ部拡大図を示す断面図である。
【図２】（ａ）は図１に示す照明部材に壁紙を貼着する積層構造を示す模式図であり、（ｂ）は壁紙貼着用シートの拡大断面図である。
【図３】第二実施形態による照明部材を天井角部に取り付けた構成を示す断面図、（ｂ）は同図（ａ）のＢ部拡大図を示す断面図である。
【図４】第三実施形態による照明部材を壁面に取り付けた構成を示す断面図である。
【図５】従来のコーニス照明の照明部材を示す断面図である。
【発明を実施するための形態】
【００１３】
以下、本発明の各実施形態による照明部材について添付図面によって説明する。
図１及び図２は本発明の第一実施形態による照明部材を備えた間接照明構造１を示すものである。
図１に示す間接照明構造１は照明部材２を備えており、室内の天井３と壁面４の角部に取り付けられている。天井３には天井裏の吊木に固定された野縁受け５の下面に野縁６が取り付けられ、その下面に天井下地材７が固定されている。壁面４には壁下地材８が固定されている。天井下地材７と壁下地材８は例えば石膏ボードで形成されている。
【００１４】
天井下地材７と壁下地材８との角部の空間９に設置された照明部材２は、その本体として例えば断面略コの字をなす凹部形状の枠部材を形成しており、下向きに設置されている。照明部材２は天面２ｃの両側部に折れ曲がって対向する一側面２ａと他側面２ｂを有している。一側面２ａは段付き形状の第一係止部２ｄとして一側面２ａに直交する延出面を有しており、第一係止部２ｄが壁下地材８の上端面に係止し、第一係止部２ｄの先端面は壁下地材８の裏面に当接する当接面２ｆを形成している。当接面２ｆは一側面２ａと平行であることが好ましい。第一係止部２ｄの屋内側表面は壁下地材８と面一に形成されており、段差がない。
また、照明部材２の他側面２ｂは先端側に直角な二方向に分岐された第二係止部２ｅを有しており、第二係止部２ｅの一端は天井下地材７の端面に当接し、他端は天井下地材７の裏面上に延びて野縁６に当接している。そのため、照明部材２の第二係止部２ｅは天井下地材７の二面に当接して係止されている。これによって第一係止部２ｄと第二係止部２ｅの壁下地材８と天井下地材７との接合部をそれぞれ広い面積に確保している。
照明部材２の天面２ｃには照明器具の受け部１０が設けられ、受け部１０には照明器具として例えばＬＥＤ照明器具１１が取り付けられている。天面２ｃの両側部に設けた一側面２ａと他側面２ｂはそれぞれＬＥＤ照明器具１１から照射される照明光の反射部を構成し、ＬＥＤ照明器具１１が室内から見えにくくしている。
【００１５】
次に、照明部材２の積層構造について図１及び図２により説明する。図２（ａ）に示すように、照明部材２は基材として金属部材、例えば凹部形状のアルミ型材１３を有し、アルミ型材１３の表面には第一接着剤１４を介して壁紙貼着用シート１５が接着されており、これらは積層体１６を形成している。即ち、照明部材２の対向する一側面２ａと他側面２ｂは基材となるアルミ型材１３と第一接着剤１４と壁紙貼着用シート１５とが積層されている。照明部材２の天面２ｃはアルミ型材１３だけで形成されており、アルミ型材１３に照明器具の受け部１０が一体形成されている。照明部材２のＬＥＤ照明器具を除いた部分が枠部材を構成する。
【００１６】
壁紙貼着用シート１５は汎用接着剤として例えば澱粉のり１７等を介して壁紙１８を接着可能な部材である。アルミ型材１３は現場で一般的に用いられる澱粉のり１７を接着剤として壁紙１８を接着することができないため、アルミ型材１３と接着可能な別種の第一接着剤１４を介して壁紙貼着用シート１５を接着した構成を採用し、工場等で製造可能である。そして、この構成を備えた照明部材２を工場出荷して、施工現場では経師業者等の職人が、壁紙貼着用シート１５の表面に澱粉のり１７を塗布して壁紙１８を接着するようにした。
【００１７】
ここで、壁紙貼着用シート１５は例えば図２（ｂ）に示すように一対の紙間強化紙２０Ａ、２０Ｂの間に防湿樹脂層２１を接着した積層シートである。紙間強化紙２０Ａ、２０Ｂとして例えばクラフト紙等を採用できる。防湿樹脂層２１として例えば透湿度が１０ｇ/ｍ２・２４ｈｏｕｒｓ相当のオレフィン系樹脂等を採用できる。また、壁紙貼着用シート１５は例えば防湿シート、石膏ボード原紙等を単体で採用してもよい。これによって壁紙貼着用シート１５は、紙間強化紙２０Ｂの表面に澱粉のり１７を塗布して壁紙１８を接着可能である上に、照明部材２を工場等から出荷して運搬や保管等する際に表面が損傷したり吸湿して劣化したりすることを抑制できる。
第一接着剤１４としてアルミ型材１３等の金属部材と接着可能な溶剤系や工業系の接着剤を用いることができ、例えばポリウレタン樹脂系溶剤形接着剤等を用いる。
【００１８】
また、汎用接着剤として澱粉のり１７以外に木工用ボンド等を採用でき、これらは第二接着剤に含まれる。壁紙１８は紙、ビニル、織物等、またはこれらの混合材等でもよく、任意のものを採用できる。
なお、本実施形態では、照明部材２の一側面２ａと他側面２ｂについてのみアルミ型材１３と第一接着剤１４と壁紙貼着用シート１５からなる積層体１６で構成したが、天面２ｃを含む全体を積層体１６で構成してもよい。また、上述した説明では、積層体１６の壁紙貼着用シート１５に澱粉のり１７を塗布して壁紙１８を接着するようにしたが、これに代えて壁紙１８の裏面に澱粉のり１７の層を予め形成した一体シートとし、剥離シートを剥がして接着するようにしてもよい。
【００１９】
本第一実施形態による照明部材２は上述の構成を備えており、次に照明部材２の取り付け方法と壁紙施工方法について説明する。本第一実施形態による照明部材２は、凹部形状を有していてその一側面２ａと他側面２ｂのアルミ型材１３に第一接着剤１４を介して壁紙貼着用シート１５を積層したものを工場等で予め加工した。
この照明部材２を、図１に示すように家屋やビルディング等の施工現場で、室内の例えば天井下地材７と壁下地材８の角部の空間９に設置する。照明部材２の天面２ｃを例えば野縁受け５に当接させて一側面２ａの第一係止部２ｄを壁面４を構成する壁下地材８の上端面に係止させて折り曲げた先端面を壁下地材８の裏面に当接させる。照明部材２の他側面２ｂの第二係止部２ｅの一端と他端を天井下地材７の端面と裏面に当接させることで、照明部材２を天井下地材７と壁下地材８に係止させる。
【００２０】
これにより、照明部材２の一側面２ａと壁下地材８は面一に形成されており、屋内側からこれらの面に澱粉のり１７を塗布してその上に壁紙１８を接着させる。また、天井下地材７と照明部材２の他側面２ｂにも澱粉のり１７を塗布してその上に壁紙１８を接着させる。本実施形態による照明部材２では、受け部１０を設けた天面２ｃを除いて室内から目視可能な両側面２ａ、２ｂのアルミ型材１３に第一接着剤１４を介して接着した壁紙貼着用シート１５に澱粉のり１７を介して壁紙１８を接着した。
これによって、照明部材２の両側面２ａ、２ｂに天井下地材７と壁下地材８と共に、澱粉のり１７を介して壁紙１８を一体に接着施工することができる。照明部材２の天面２ｃに設けた受け部１０には照明器具としてＬＥＤ照明器具１１を装着する。
こうして照明部材２を設置することができ、受け部１０に設けたＬＥＤ照明器具１１から照射される照明光はその多くが壁面４近傍で下方に照射され、一部は凹部形状をなす照明部材２の両側面２ａ、２ｂや壁下地材８の壁紙１８で反射して室内を照射するため、間接照明することができる。
【００２１】
上述のように本実施形態による照明部材２によれば、天面２ｃの一側面２ａに形成した第一係止部２ｄを壁下地材８の上端面に係止させてその先端面を壁下地材８の裏面に当接させ、他側面２ｂの第二係止部２ｅで天井下地材７の端面と裏面に係止させることで固定できる。そのため、ねじ固定等が必要なく現場での取り付け施工が簡単且つ容易で低廉である。
また、基材のアルミ型材１３に第一接着剤１４を介して壁紙貼着用シート１５を接着した照明部材２を工場等で予め加工したものを現場で取り付け施工し、照明部材２の両側面２ａ、２ｂの壁紙貼着用シート１５の紙間強化紙２０Ｂ上に汎用の澱粉のり１７を介して壁紙１８を接着することができる。
そのため、照明部材２の基材としてアルミ型材１３を用いながらも、現場で特殊で高価な接着剤を用いることなく、汎用の澱粉のり１７を用いて、両側面２ａ、２ｂと石膏ボード製の天井下地材７及び壁下地材８とに連続して壁紙１８を接着施工することができて、作業が簡単且つ容易である。
【００２２】
なお、本発明による照明部材２は、上述した実施形態に限定されるものではなく、本発明の要旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００２３】
次に本発明の第二実施形態による照明部材２３について図３により説明する。
本第二実施形態による照明部材２３は図３に示すように間接照明用の部材であり、天井下地材７と壁下地材８の角部の空間９に設置されている。照明部材２３は、主として基材としてのアルミ型材１３と第一接着剤１４と壁紙貼着用シート１５とを積層して形成されている。照明部材２３は受け部１０に保持されたＬＥＤ照明器具１１を包囲する断面四角形状でＬＥＤ照明器具１１を突出させる上面開口を有する支持部２３ａと、支持部２３ａに連結されていて壁下地材８の上端に係合する断面略Ｌ字状の第一係止部２３ｂと、ＬＥＤ照明器具１１からの照明光を反射させる断面略円弧状の反射部２３ｃと、反射部２３ｃの延長上に形成した天井下地材７の端面と裏面に係止する断面略Ｌ字状の第二係止部２３ｄとを有している。
【００２４】
なお、照明部材２３において、第一係止部２３ｂと第二係止部２３ｄはアルミ型材１３だけで構成してもよく、壁紙１８を接着する部分以外には第一接着剤１４と壁紙貼着用シート１５を積層しなくてもよい。
そして、照明部材２３は、支持部２３ａの下面と室内側側面と上部開口までの上面とにおいて、壁紙貼着用シート１５に澱粉のり１７を介して壁紙１８が接着され、壁下地材８にも連続して壁紙１８が接着されている。また、照明部材２３の反射部２３ｃにおいて、壁紙貼着用シート１５に澱粉のり１７を介して壁紙１８が接着され、天井下地材７にも連続して壁紙１８が接着されている。本実施形態による照明部材２３では、支持部２３ａの上部開口の奥側を除いて室内から目視可能な支持部２３ａ、反射部２３ｃの表面に壁紙１８が接着されている。
したがって、照明部材２３に設けたＬＥＤ照明器具１１から照射された反射光はその多くが対向して設けた反射部２３ｃで反射して室内の側方や下方を照射することができる。
【００２５】
次に本発明の第三実施形態による照明部材２５について図４により説明する。
本第三実施形態による照明部材２５は図４に示すように直接照明用の部材である。この照明部材２５は天井３と壁面４との角部の空間９に取り付けられている。照明部材２５は、受け部１０に保持されたＬＥＤ照明器具１１を包囲する断面四角形状でＬＥＤ照明器具１１を突出させる上面開口を有する支持部２５ａと、支持部２５ａの一方の角部から突出していて壁下地材８の上端面と裏面に係合する断面略Ｌ字状の第一係止部２５ｂと、支持部２５ａの他方の角部から突出していて天井下地材７の端面と裏面に係合する断面略Ｌ字状の第二係止部２５ｃとを有している。
また、ＬＥＤ照明器具１１の前方には上下の縁部を第一係止部２５ｂと第二係止部２５ｃに係合された光拡散板２６を有している。
【００２６】
本実施形態による照明部材２５は上述した実施形態と同様に基材がアルミ型材で形成されているが、その他の金属部材でもよく、或いは合成樹脂製や木製等で形成してもよい。また、天井下地材７や壁下地材８の室内側の面には例えば澱粉のり１７を介して壁紙１８が接着されているが、照明部材２５には壁紙１８は接着されていない。
【００２７】
本実施形態による照明部材２５によれば、室内の天井下地材７と壁下地材８の角部の空間９に照明部材２５の第一係止部２５ｂと第二係止部２５ｃを嵌合することで取り付けることができる。
しかも、照明部材２５のＬＥＤ照明器具１１から照射された照明光は光拡散板２６で均一に拡散されて室内を照明することができる。
【００２８】
なお、上述した第一及び第二実施形態では、照明部材２、２３の基材をアルミ型材１３で形成しているが、上述した第三実施形態と同様に、アルミ型材以外のスチールや鉄材等のその他の金属部材でもよく、或いは合成樹脂製や木製等で形成してもよい。
また、本発明の照明部材２，２３、２５は第一係止部２ｄ、２３ｂ、２５ｂ及び第二係止部２ｅ、２３ｄ、２５ｃによって壁下地材８と天井下地材７に係止したが、壁下地材８のみに係止してもよいし、天井下地材７のみに係止してもよい。また、第一係止部２ｄ、２３ｂ、２５ｂ及び第二係止部２ｅ、２３ｄ、２５ｃのいずれを段付き形状または分岐形状にしてもよく、或いは第一係止部２ｄ、２３ｂ、２５ｂ及び第二係止部２ｅ、２３ｄ、２５ｃの両方を同一の係止部形状にしてもよい。
また、本発明において、天井３や天井下地材７は天井部材に含まれ、壁面４や壁下地材８は壁部材に含まれる。
【符号の説明】
【００２９】
１  間接照明構造
２、２３、２５  照明部材
２ｄ、２３ｂ、２５ｂ  第一係止部
２ｅ、２３ｄ、２５ｃ  第二係止部
２ｆ  当接面
７  天井下地材
８  壁下地材
１０  受け部
１１  ＬＥＤ照明器具
１７  澱粉のり
１８  壁紙  
２３ｃ  反射部
２６  光拡散板
【図１】
0006616157.tif 000002
【図２】
0006616157.tif 000003
【図３】
0006616157.tif 000004
【図４】
0006616157.tif 000005
【図５】
0006616157.tif 000006